(57)【要約】【課題】ヘルメット着帽時における頭部露出部をハチから保護し、作業効率を低下させずに、かつ使い勝手が良好なヘルメット装着用の防虫ネットを提供する。【解決手段】ヘルメット縁部Ｈｅの外側周囲に装着させた環状の取付枠体２と、取付枠体に垂下支持されてヘルメット着帽時に少なくともヘルメット縁部から着帽者の略肩口付近までを覆う略筒状のネット体４と、ネット体の内側にあって、前記取付枠体に軸支部３１をもって片持ち支持させた複数の拡開体３と、から成り、軸支部は所定摩擦力をもって軸回転可能に構成する。拡開体は湾曲自在な弾性棒状体で形成し、その両端部を軸支部として取付枠体に格別に取り付けて構成する。ネット体は全体を白色系に、かつ被覆時の目線付近の所定域４２のみを黒色系に着色し、下端部付近の全周に紐状のウェイト４３を配置して構成する。【選択図】      図１
2008190088.tif 000002
【特許請求の範囲】
【請求項１】
ヘルメット縁部（Ｈｅ）の外側周囲に固定又は着脱可能にして装着させた環状の取付枠体（２）と、
該取付枠体（２）に垂下支持し、ヘルメット着帽時に少なくともヘルメット縁部（Ｈｅ）から着帽者の略肩口付近までを覆う略筒状のネット体（４）と、
該ネット体（４）の内側にあって、前記取付枠体（２）に軸支部（３１）をもって片持ち状に支持させた１又は２以上の拡開体（３）と、から成り、
上記軸支部（３１）は、所定の摩擦力をもって軸回転する構成としたことを特徴とするヘルメット装着用の防虫ネット。
【請求項２】
軸支部（３１）は、取付枠体（２）に沿って移動可能としたことを特徴とする請求項１記載のヘルメット装着用の防虫ネット。
【請求項３】
拡開体（３）の構成において、
湾曲自在な弾性棒状体で形成し、その両端部を軸支部（３１）として取付枠体（２）に格別に取り付け、両軸支部（３１、３１）の間隔を適宜に変更することにより、その棒状体の湾曲形状を適宜に設定することを特徴とした請求項１、又は２記載のヘルメット装着用の防虫ネット。
【請求項４】
ネット体（４）は、下端部付近の一部又は全周にウェイト（４３）を配置して構成したことを特徴とする請求項１記載のヘルメット装着用の防虫ネット。
【請求項５】
ネット体（４）は、全体を白色系に着色する一方で、被覆時の目線付近の所定域（４２）を黒色系に着色したことを特徴とする請求項１、又は４記載のヘルメット装着用の防虫ネット。
【発明の詳細な説明】
【技術分野】
【０００１】
本願発明は、既存の作業用ヘルメットに装着して頭部全体を覆う防虫ネットに関し、特に、飛来した危険なハチの攻撃から頭部露出部を防御するヘルメット装着用の防虫ネットに関する。
【背景技術】
【０００２】
従来より、建築土木工事、各種設備工事、又は農業園芸作業などの屋外作業においては、季節や場所によってはハチ刺されによる危害を考慮する必要があった。すなわち、作業環境によっては作業者がハチの生息域に侵入して刺激することがあり、不意に攻撃される恐れがあった。ハチの種類（例えば、スズメバチ）によっては、針毒によって生命の危機に瀕する場合もあった。かかる場合に作業者は、飛来するハチに刺されないように、顔面や首筋などの頭部露出部を覆うネットやカバー（以下、「ネット体」と称する。）を着用することを一般的に行っていた。
【０００３】
このような頭部露出部保護を目的としたネット体としては、例えば、養蜂業者が蜂蜜採取時に被るネット付きの帽子がある。かかる帽子の形態は、頭に被せる冠頭部の周囲に幅広状に鍔部を周回形成し、その外周縁からネット体を垂下させたものである。通常、冠頭部とネットとの隙間を排除するため、帽子と一体的に形成し、または所謂、麦藁帽子の様な鍔付き帽子の頭頂部から全体に被せて、頭部の周りに一定の空間を設けて囲むような構成である。
【０００４】
また、特許文献１に開示されているように、上下を開放させた円錐台状のネット体を帽子の頭頂から被せることによって使用する防虫ネットがある。かかる防虫ネットは、着用時の視認性を向上させるためにネット体の目線部を含む所定の領域に透明板を配設したり、適宜の箇所に上下方向にファスナーを配置して、そのネット体を左右に分割開閉できる構成を採っている。
【特許文献１】特開２００２−２４９９１６（第４−７頁、第１図）
【発明の開示】
【発明が解決しようとする課題】
【０００５】
しかし、上記従来の防虫ネット等では、特に、屋外での電気、電話などの設備工事や建築工事の作業時に着帽するヘルメットに装着した場合は、その装着性や作業効率性の観点からそのまま用いることは不適当なものであった。
【０００６】
すなわち、養蜂業者が用いる防虫ネット付き鍔付き帽子は、作業現場でのヘルメット着帽義務のため帽子単独での使用はできないため、当該帽子をヘルメットの外側又は内側に二重に被らなければならず、その場合に鍔部の幅（周りへの張出量）が大き過ぎ、顔面付近や頭上部付近の作業においては邪魔になって煩わしいものであった。
【０００７】
また、特許文献１に開示された防虫ネットは、鍔部分が殆ど無い既存のヘルメットに装着した場合には、ネット体の側面部分が作業者の頭部露出部、特に顔面に接触、又は汗等で粘着する頻度が増すことになった。この状況は作業者にとっては不快であり、作業効率を低下させる要因となっていた。
【０００８】
さらには、手元を直視して細かい作業をする状況時には、一方の手で防虫ネットの一部捲り上げて保持しなければならない場合があり、狭い部分に頭部を入れ込んで作業をする状況時には、防虫ネット自体が周囲に干渉、又は引っ掛かったりして危険なため、その都度、防虫ネット自体をヘルメットから取り外さなければならない場合もあり、その使い勝手は大変悪いものであった。
【０００９】
そこで、本願発明はかかる課題に着目して為されたものであり、ヘルメットを着帽しての作業時に頭部露出部をハチ等から保護すると共に、作業効率を低下させずに、かつ使い勝手が良好なヘルメット装着用の防虫ネットを提供する。
【課題を解決するための手段】
【００１０】
上記目的を達成するため、本願発明にかかるヘルメット装着用の防虫ネットは、以下の構成としている。
【００１１】
すなわち、ヘルメット縁部（Ｈｅ）の外側周囲に固定又は着脱可能にして装着させた環状の取付枠体（２）と、該取付枠体（２）に垂下支持し、ヘルメット着帽時に少なくともヘルメット縁部（Ｈｅ）から着帽者の略肩口付近までを覆う略筒状のネット体（４）と、該ネット体（４）の内側にあって、前記取付枠体（２）に軸支部（３１）をもって片持ち状に支持させた１又は２以上の拡開体（３）と、から成り、軸支部（３１）は、所定の摩擦力をもって軸回転する構成としている。
【００１２】
前記軸支部（３１）には、滑らかに回転するのでは無く、一定の摩擦力をもって軸支しており、所定以上のトルクの負荷によって回動が起動し、それ以下では現状が維持される軸支構造としている。別言すれば、所謂フリクションヒンジ（又は摩擦ヒンジ）と言うことができる。
【００１３】
また、拡開体（３）は湾曲自在な弾性棒状体で形成し、その両端部を軸支部（３１）として取付枠体（２）に格別に取り付け、両軸支部（３１、３１）の間隔を適宜に変更することにより、その棒状体の湾曲形状を適宜に設定できる構成としている。
【００１４】
ネット体（４）は、下端部付近の一部又は全周にウェイト（４３）を配置して構成したことを特徴とする。この構成により、ネット体（４）は安定的な形状と定置性をもってヘルメット縁部（Ｈｅ）から垂下することとなり、風等により不意に捲れたりすることも無くなる。
【００１５】
さらにまた、ネット体（４）は、全体を白色系に着色する一方で、顔面等の被覆時における目線付近の所定域（４２）を黒色系に着色したことを特徴としている。
【００１６】
なお、特許請求の範囲の書類と上記の課題を解決するための手段の欄で記載した括弧付き符号は、発明の構成の理解を容易にするため参考として図面符号を付記したもので、この図面上の形態に限定するものでないことはもちろんである。
【発明の効果】
【００１７】
本願発明にかかるヘルメット装着用の防虫ネットは上記のように構成しているため、電気設備工事や建築土木工事用の既存ヘルメットに装着した場合に、以下の効果を発揮する。
【００１８】
複数の拡開体が取付枠体を軸にして水平方向から上下に回動可能であると共に、フリクションヒンジ（摩擦ヒンジ）によって適宜な回動位置での保持を可能にしているため、ネット体は頭部に対して所定の拡がりを確保でき、かつ拡開体の突出量を変えることより拡がり具合の調整が可能となる。これにより、頭部とネット体の空間を適宜に設定することが可能となり、作業時の煩わしさと防虫ネットの必要性とのバランスを図ることができる。その結果、作業効率の低下をできるだけ抑えることができる。
【００１９】
拡開体は、所定の摩擦力をもって軸回転する構成としているため、ネット体を適宜に広げた状態で維持することができる。一方、所定のトルクをもって、実際は手で持って、拡開体を跳ね上げることよって手繰り纏めたネット体をヘルメット側面部に保持しておくこともできる。このようなネット体の手繰り纏め保持は、ネット体全体をヘルメット側面に保持しておくこともできるが、本願発明の特徴点は、特定位置（例えば、顔面部）部分のネット体のみを、その部分に対応した拡開体を跳ね上げることにより、ヘルメット側面に保持して置くことができることにある。これにより、ネット体の不要時、又は手元作業時に一時的に排除したい場合に、ヘルメットを着帽しながらも臨機の対応を可能にしている。
【００２０】
さらに、ネット体の全体を白色系に着色して白色系の色合いを嫌うスズメバチ等からの認識をできるだけ回避しているが、この白色系の着色は、作業者がネット体を通して見た場合、屋外、特に昼光下では乱反射によって前方視界が霞む状況の原因となっていた。そのため、本願発明のネット体は顔面部の視線領域の部分のみを黒色に着色することにより、ネット体を通しても手元や作業対象物を視認し易くしている。
【発明を実施するための最良の形態】
【００２１】
以下、本願発明にかかるヘルメット装着用の防虫ネット（以下、「本防虫ネット」と称する。）の具体的実施形態例について、図面に基づき詳細に説明する。
【００２２】
図１は本防虫ネットのヘルメットへの装着状態を示す斜視図であり、図２は本防虫ネットの外観を示す斜視図であり、図３は本防虫ネットの取付枠体及び拡開体の外観を示す斜視図（Ａ）、及びこれらの一部拡大図（Ｂ）であり、図４は本防虫ネットの使用状態を示す斜視図である。
【００２３】
本防虫ネット１は、主に電気工事作業や建築土木作業時に着帽するヘルメットＨの縁部Ｈｅの外側周囲に装着するものであって、取付枠体２、拡開体３、ネット体４から構成している。
【００２４】
取付枠体２は、環状に形成してヘルメットＨの縁部Ｈｅの外周囲に取り付けられている。この取り付け方法は、図示するように硬質樹脂材からなる棒状体をヘルメット周囲に巻回させ固定手段で固定させても良く、また伸縮性のある軟質樹脂材などで棒状又は帯状に形成して、ヘルメット頭頂部から縁部に向かって圧入して固定するようにしても良い。着脱性を容易に確保するためには後者の取付方法がより好ましい。取付枠体２の固定は、上記のように圧入保持のみでも良いが、他の固定手段、例えば、既存技術で考えられる接着手段、嵌合手段、又は螺合手段を適宜に選択して用いることより、永続固定、又は一時固定としても良い。本実施例では、装着後にヘルメット縁部付近に形成した複数の開孔を利用して結束バンドで係合させ（図示省略）、固定又はヘルメット縁部Ｈｅの周方向に移動可能としている。本実施例の取付枠体２は合成樹脂材、例えば、直径２〜３ｍｍの弾性及び柔軟性を有するナイロンコード材から形成しているが、ヘルメット縁部Ｈｅの外側周囲に倣う柔軟性があれば、針金等の金属から形成しても良い。
【００２５】
拡開体３は、上記取付枠体２に配置されている。該拡開体３は取付枠体２の一箇所に１個でも良いが、好ましくは複数個を複数箇所、例えば、顔面部と両側面部の３箇所、より好ましくは、図示するように、複数個を連続させるようにヘルメットＨの縁部Ｈｅを周回状に取り付けて配置している。本実施例では、６個の拡開体３を配置している。拡開体３は、湾曲自在な弾性棒状体で形成し、その両端部を取付枠体２へ軸支させて軸支部３１としている。この両軸支部３１、３１は取付枠体２に格別に、かつ回動自在にして支持されており、ヘルメットＨの外側に張り出した片持ち状の構成となっている。
【００２６】
また、拡開体３の取付仕様は、軸支部３１を軸として所定の摩擦力をもって上下方向に回動可能（矢印ａ）、かつ、軸支部３１は取付枠体２に沿って移動可能（矢印ｂ）に構成したものである。この両軸支部３１の間隔を適宜に設定することにより、拡開体３の湾曲形状を適宜に形成している。この湾曲形状を変えることにより、ヘルメットＨからの拡開体３の突出量、言わばネット体の拡がり具合を適宜に設定（矢印ｃ）するようにしている。
【００２７】
拡開体３はこの調整機能を満足するため、軸支部３１を図示するＴ字型継手やストレート継手（スリーブ等）構造として、所謂"フリクションヒンジ（摩擦ヒンジ）"の機構を採用している。すなわち、少ない負荷で滑らかに回転させるのでは無く、一定の摩擦抵抗を持たせて軸支持し、所定以上のトルクによって回転が起動し、それ以下では現状が維持される軸支構造を採用している。前記所定のトルクとは、後述するネット体４やウェイト４３の荷重が拡開体３に作用して軸支部３１に生じるモーメント力を基準として設定したものである。
【００２８】
なお、この軸支構造は、上述のフリクションヒンジ（摩擦ヒンジ）の作動形態を呈するものならば、嵌め合わせ構造、環装構造、又は巻き付け構造などの種々の既存構造が考えられ、図示する実施形態に限定するものではない。
【００２９】
次に、ネット体４は、両端開放の円筒状を成して一端開放側の開口径と取付枠体２の環状径と一致させるようにして配置し、一端側の開口縁部に配置した係合紐４１の数カ所を結束バンド（図示省略）によって取付枠体２に取り付けて配置している。ネット体４の垂下長さは、拡開体３で広げた状態でもヘルメットＨを着帽した作業者Ｗの略肩口付近までを覆う長さである。このネット体４と上記した拡開体３との位置関係は、取付枠体２から垂下させた状態では、上記した拡開体３を内包するような配置であり、ネット体４を拡開体３で言わば手繰り上げるように作用する位置関係にある。
【００３０】
また、ネット体４の取付枠体２との反配置側の開口縁部には、柔軟性をもったウェイト４３（例えば、ある程度の重さを持った紐状体）を取り付けている。これにより、風や作業者の移動によって起きるネット体４の揺らぎを抑えることができ、ネット体４の安定的な形状と定置性を向上すると共に、作業者Ｗの肩口付近の身体形状に倣って隙間ない接触状態を成し、ネット体４の下端開口部からの蜂等の不意の侵入を防止している。なお、ネット体４の開口縁部からは、図示は省略するが、上記ウェイト４３に加えて１又は複数の環状の紐を垂下状に配置しても良い。この環状の紐は、作業服のボタン等に係合させてネット体４の揺らぎ防止に使用するものである。
【００３１】
さらに、ネット体４はヘルメットＨを着帽した作業者Ｗの目線部４２の領域のみを黒色系に着色している。このため、白色系を嫌う傾向にある蜂等の接近を予防する効果を有する一方、目線付近のみは黒色のため手元や作業対象物の視認が良好となる。ネット体４の側面部分は蜂等が通過し得ない網目と収縮性を有するものであり、本実施例では、網目が約３ｍｍの白色系の魚網を採用している。この魚網の採用により、従来のネット体と比べて風通しが格段に良く、ネット体内部の蒸れを防ぎ、熱中症予防の効果もある。
【００３２】
以上構成の防虫ネットは、次にようにして使用する。まず、拡開体３の取付枠体２に対する位置や突出量を調整してヘルメットＨを着帽する。
【００３３】
ヘルメットＨの着帽後においては、拡開体３の水平角度を適宜に設定してネット体４の拡がり具合を調整する。黒色に着色したネット体４の目線部４２の位置は、取付枠体２のヘルメットＨへの固定時において決まるが、取付枠体２がヘルメット縁部Ｈｅの周りに移動可能である仕様とした場合には、適宜に移動させて調節する。
【００３４】
本防虫ネット１は、作業内容又は蜂による攻撃の恐れがない状況においては、図４に示すように、特定部位の拡開体３をヘルメットＨの側面部側に接する上限まで回動、言わば跳ね上げ状態にして、その部分のネット体４をヘルメット縁部上方に一時的に保持して置くことも可能である。これにより、例えば、細かい作業をする場合、作業者Ｗは顔面側に位置するネット体４を適宜に捲り上げて保持し、手元や作業状況を直接視認することができる。他にも、ハシゴ等の昇降時や移動時、休憩時にはネット体全体をヘルメット縁部Ｈｅより上部に捲り上げて保持することもできるため、大変使い勝手が良くなっている。
【図面の簡単な説明】
【００３５】
【図１】本防虫ネットのヘルメットへの装着状態を示す斜視図である。
【図２】本防虫ネットの外観を示す斜視図である。
【図３】本防虫ネットの取付枠体及び拡開体の外観を示す斜視図（Ａ）、及びこれらの一部拡大図（Ｂ）である。
【図４】本防虫ネットの使用状態を示す斜視図である。
【符号の説明】
【００３６】
１  本防虫ネット
２  取付枠体
３  拡開体
３１  軸支部
４  ネット体
４１  係合紐
４２  目線部
４３  ウェイト
Ｈ  ヘルメット
Ｈｅ  縁部
Ｗ  作業者
【図１】
2008190088.tif 000003
【図２】
2008190088.tif 000004
【図３】
2008190088.tif 000005
【図４】
2008190088.tif 000006